【手続補正書】
【提出日】平成27年8月12日(2015.8.12)
【手続補正１】
【補正対象書類名】特許請求の範囲
【補正対象項目名】全文
【補正方法】変更
【補正の内容】
【特許請求の範囲】
【請求項１】
内周面と中心軸とを有するドラムシェルと、前記ドラムシェル内に配置されるモータと、前記モータから回転動力を受け取り、且つ決められた回転動力付与領域においてドラムシェルに回転動力を低下した速度で付与するための減速機とを有する電動ドラムにおける、前記電動ドラムの全体的な軸方向長さを変更するため複数の装着可能構成部品のいずれかを装着できるように構成された取付フェース装置を有する取付フェースシステムにおいて、前記取付フェース装置は前記電動ドラムの軸端に配置され、前記軸端は、前記減速機が前記ドラムシェルに動力を付与する決められた回転動力付与領域から遠位にある、取付フェースシステム。
【請求項２】
請求項１に記載の取付フェースシステムにおいて、前記取付フェース装置から軸方向外側に突出し、且つ前記装着可能構成部品内に受け入れられるシャフトがさらに提供されることを特徴とする取付フェースシステム。
【請求項３】
請求項１に記載の取付フェースシステムにおいて、前記取付フェース装置が端蓋を受け入れることを特徴とする取付フェースシステム。
【請求項４】
請求項１に記載の取付フェースシステムにおいて、前記取付フェース装置が拡張ドラムシェルの軸方向装着を受け入れ、前記拡張ドラムシェルが内周面を有することを特徴とする取付フェースシステム。
【請求項５】
請求項４に記載の取付フェースシステムにおいて、前記装着された拡張ドラムシェルが、ポジティブ係合ベルト材を駆動するための一体型スプロケットジオメトリを有するように構成されることを特徴とする取付フェースシステム。
【請求項６】
請求項１に記載の取付フェースシステムにおいて、前記取付フェース装置が、
前記ドラムシェルの内周面に周方向に位置する対応する溝に配置された所定の断面ジオメトリを有するばねリング；
前記ドラムシェル内で、前記ばねリングの軸方向内側に配置された取付リング；
前記ばねリングに対して軸方向外側に配置された締付リング；及び
前記取付リングを前記ばねリングに向かって軸方向に付勢するための、前記締付リングを貫通するように配置された１つ又は複数のファスナを含むことを特徴とする取付フェースシステム。
【請求項７】
請求項６に記載の取付フェースシステムにおいて、前記締付リングが拡張シャフトにさらに装着されることを特徴とする取付フェースシステム。
【請求項８】
請求項６に記載の取付フェースシステムにおいて、前記締付リングが拡張ドラムシェルにさらに装着されることを特徴とする取付フェースシステム。
【請求項９】
請求項８に記載の取付フェースシステムにおいて、前記ドラムシェルが、前記拡張ドラムシェルのはめ合いジオメトリを係合するための斜角部を備えて作製されることを特徴とする取付フェースシステム。
【請求項１０】
請求項７に記載の取付フェースシステムにおいて、前記ドラムシェルが、前記拡張シャフトのはめ合いジオメトリを係合するための斜角部を備えて作製されることを特徴とする取付フェースシステム。
【請求項１１】
請求項６に記載の取付フェースシステムにおいて、前記取付リングが、前記ばねリングを係合するための軸方向外側にある外周上の面取り部を備え、従って前記締付リングを貫通する前記１つ又は複数のファスナが前記取付リングを前記ばねリングに向かって軸方向に付勢すると、前記ばねリングが付勢されて前記ドラムシェルにおけるその対応する溝の中へと径方向に拡張し、軸横断方向の力を前記ドラムシェルに分配することを特徴とする取付フェースシステム。
【請求項１２】
請求項６に記載の取付フェースシステムにおいて、前記ばねリングの前記所定の断面ジオメトリが菱形であることを特徴とする取付フェースシステム。
【請求項１３】
請求項６に記載の取付フェースシステムにおいて、前記ばねリングの前記所定の断面ジオメトリが円形であることを特徴とする取付フェースシステム。
【請求項１４】
請求項６に記載の取付フェースにおいて、前記ばねリングの前記所定の断面ジオメトリが矩形であることを特徴とする取付フェース。
【請求項１５】
請求項６に記載の取付フェースシステムにおいて、前記ばねリングが、前記ドラムシェル及び前記締付リングの対応するはめ合い面にくい込む粗い組織を有する硬化金属で形成されることを特徴とする取付フェースシステム。
【請求項１６】
請求項１に記載の取付フェースシステムにおいて、前記装着された構成部品が、前記ドラムシェルの直径と比べて全体的な直径が小さい装着シャフトであることを特徴とする取付フェースシステム。
【請求項１７】
請求項１６に記載の取付フェースシステムにおいて、前記装着されたシャフトが、複数のアタッチメントのいずれかを受け入れるように構成されることを特徴とする取付フェースシステム。
【請求項１８】
請求項１７に記載の取付フェースシステムにおいて、前記アタッチメントが、ポジティブ駆動コンベアベルト材を駆動するためのスプロケットであることを特徴とする取付フェースシステム。
【請求項１９】
請求項６に記載の取付フェースシステムにおいて、前記締付リングが、拡張ドラムシェル内に、前記取付リングと前記締付リングとの間で前記拡張ドラムシェルの内周面上に周方向に位置する対応する溝に配置される第２のばねリングと共に取り付けられることを特徴とする取付フェースシステム。
【請求項２０】
請求項１９に記載の取付フェースシステムにおいて、前記ファスナが、ボルトヘッドを有するボルトであり、前記第２のばねリングと逆側で前記締付リングに装着されるボルトホルダがさらに提供され、前記締付ボルトの前記ボルトヘッドが、嵌装中に前記ボルトが前記締付リングから抜け落ちないように前記ボルトホルダと前記締付リングとの間に捕捉されることを特徴とする取付フェースシステム。
【請求項２１】
請求項２０に記載の取付フェースシステムにおいて、前記ボルトのねじピッチより大きいカム角度で連通するはめ合いカム面を有するワッシャの働きにより、前記ファスナにプレテンションが維持されることを特徴とする取付フェースシステム。
【請求項２２】
内周面と中心軸とを有するドラムシェルと、前記ドラムシェル内に配置されるモータとを有する電動ドラムにおける、前記ドラムシェルへの付属品の取付けを促進する取付フェース装置を有する取付フェースシステムにおいて、前記取付フェース装置が、
前記ドラムシェルの内周面に周方向に位置する対応する溝に配置されたばねリング；
前記ドラムシェル内で前記ばねリングの軸方向内側に配置された取付リング；
前記ばねリングの軸方向外側に配置された締付リング；及び
前記取付リングを前記ばねリングに向かって軸方向に付勢するための、前記締付リングを貫通して配置されるファスナ
を含むことを特徴とする取付フェースシステム。
【請求項２３】
請求項２２に記載の取付フェースシステムにおいて、前記取付リングが、前記ばねリングを係合するための軸方向外側にある外周上の面取り部を備えて構成され、従って前記締付リングを貫通して配置される前記ファスナが前記取付リングを前記ばねリングに向かって軸方向に付勢すると、それにより前記ばねリングが、前記ドラムシェルの前記内周面にある前記対応する溝の中へと径方向に拡張し、前記ドラムシェルに対して、前記付属品により生成される軸横断方向の力が前記ドラムシェルに分配されることを特徴とする取付フェースシステム。
【請求項２４】
請求項２３に記載の取付フェースシステムにおいて、前記ばねリングが菱形断面ジオメトリを有することを特徴とする取付フェースシステム。
【請求項２５】
請求項２３に記載の取付フェースシステムにおいて、前記ばねリングが略円形断面ジオメトリを有することを特徴とする取付フェースシステム。
【請求項２６】
請求項２３に記載の取付フェースシステムにおいて、前記ばねリングが硬化金属で形成され、前記ドラムシェル及び前記締付リングの対応するはめ合い面と係合する粗い組織をさらに備えることを特徴とする取付フェースシステム。
【請求項２７】
請求項２３に記載の取付フェースシステムにおいて、前記付属品が、前記ドラムシェルより小さい直径のシャフトであることを特徴とする取付フェースシステム。
【請求項２８】
請求項２３に記載の取付フェースシステムにおいて、前記付属品が拡張ドラムシェルであることを特徴とする取付フェースシステム。
【請求項２９】
請求項２８に記載の取付フェースシステムにおいて、前記締付リングが前記拡張ドラムシェルに取り付けられ、前記拡張ドラムシェルの内周面に位置するさらなる対応する周方向溝の中、且つ前記取付リングと前記締付リングとの間に配置される第２のばねリングがさらに提供されることを特徴とする取付フェースシステム。
【請求項３０】
請求項２２に記載の取付フェースシステムにおいて、前記取付フェース装置が前記電動ドラムの一端に位置し、前記付属品の装着を促進するように構成され、前記付属品が、端蓋、拡張ドラムシェル、及び拡張シャフトからなる付属品の群から選択されることを特徴とする取付フェースシステム。
【請求項３１】
請求項３０に記載の取付フェースシステムにおいて、前記取付フェース装置に対する端蓋の装着を促進するトレランスリングを形成するための型押ばねバンドが提供されることを特徴とする取付フェースシステム。
【請求項３２】
請求項３０に記載の取付フェースシステムにおいて、前記取付フェース装置を通り越して前記付属品の中へと突出するように軸方向に前記ドラムシェルを越えて延在する中心シャフトが提供されることを特徴とする取付フェースシステム。